(57)【特許請求の範囲】
【請求項１】
本体ケースと、この本体ケース内に設けられ、燃料を燃焼させる熱源と、前記本体ケースの背面部に配置され、前記熱源に温風用の風を供給する送風機と、本体ケースの前面に設けられ、温風を吐出する吹出口とを備え、この吹出口には、中間部に複数の中段部ルーバを略水平に設けるとともに、上部に下流側先端を中段部ルーバよりも前方へ突出させた上段部ルーバを斜め下向きに設け、最下部に下流側先端を中段部ルーバよりも前方へ突出させた下段部ルーバを略水平に設けたことを特徴とする温風暖房機。
【請求項２】
本体ケースと、この本体ケースの底部に設けられた置台と、この本体ケース内に設けられ、燃料を燃焼させる熱源と、前記本体ケースの背面部に配置され、前記熱源に温風用の風を供給する送風機と、本体ケースの前面に設けられ、温風を吐出する吹出口とを備え、この吹出口には、中間部に複数の中段部ルーバを略水平に設けるとともに、上部に下流側先端を中段部ルーバよりも前方へ突出させた上段部ルーバを斜め下向きに設け、最下部に下流側先端を中段部ルーバよりも前方へ突出させた下段部ルーバを略水平に設け、前記上段部ルーバの下流側先端及び下段部ルーバの下流側先端のうち、少なくともどちらか一方を本体ケースよりも８ｍｍ以上突出させ、かつ、その突出量を置台の外郭以内としたことを特徴とする温風暖房機。
【発明の詳細な説明】
【０００１】
【発明の属する技術分野】
本発明は、熱源の熱を利用して室内空気を温風として吹出口から吐出して暖房を行う石油ファンヒータ等の温風暖房機に関するものである。
【０００２】
【従来の技術】
従来のこの種の温風暖房機は、図３に示すように、本体ケース１と、本体ケース１内に配置され燃料を燃焼させるバーナ部２と、このバーナ２部を覆いバーナ部２で発生した燃焼ガスを上方へ導く燃焼筒３と、本体ケース１の背面に設けた送風機４と、前記燃焼筒３を覆いこの燃焼筒３からの燃焼排ガスと送風機４からの室内空気流とを混合させて温風とするダクト５と、本体ケース１の前面に設けられ、ダクト５からの温風を吐出する吹出口６とを備えている。
【０００３】
そして、図４に示すように、前記吹出口６には、下部に複数（３枚以上）のルーバ７、７を略水平に配設するとともに、上部に下流側先端をルーバ７よりも前方へ突出させた２枚の上段部ルーバ８、８を斜め下向きに配設している。
【０００４】
上記のように構成した温風暖房機は、バーナ部２で燃焼されて生じた燃焼ガスが、バーナ部２の周囲を覆うように配設された燃焼筒３で上方へ導かれ、この燃焼筒３を覆ったダクト５内において、送風機４からの室内空気流と混合され、温風として吹出口６より室内に吐出され、室内の暖房を行うものである。
【０００５】
【発明が解決しようとする課題】
上記の温風暖房機においては、吹出口６には、下部に複数のルーバ７を略水平に配設するとともに、上部に下流側先端をルーバ７よりも前方へ突出させた２枚の上段部ルーバ８、８を斜め下向きに配設した構成とすることにより、吹出口６の下部から略水平方向に吐出する高温の温風の上昇を、吹出口６の上部から斜め下向きに吐出する温度の低い温風により押え込むことで、床面近くを流れる温風の到達距離を伸ばし、室内の上部と床面近くとの温度差を少なくして室内温度のムラを解消できる利点が有るが、その反面、最大暖房出力や最大送風量の大きいハイカロリータイプのものでは、床温度が上昇して、畳の変色や床材の反り等が生じる問題点があった。
【０００６】
本発明は、上述の実情に鑑みてなされたものであり、床面近くを流れる温風の到達距離を伸ばし室内温度のムラを解消しつつ、床温度の上昇を抑制することができる温風暖房機を提供することを目的としている。
【０００７】
【課題を解決するための手段】
上記課題を解決するため、請求項１に記載の本発明では、本体ケースと、この本体ケース内に設けられ、燃料を燃焼させる熱源と、前記本体ケースの背面部に配置され、前記熱源に温風用の風を供給する送風機と、本体ケースの前面に設けられ、温風を吐出する吹出口とを備え、この吹出口には、中間部に複数の中段部ルーバを略水平に設けるとともに、上部に下流側先端を中段部ルーバよりも前方へ突出させた上段部ルーバを斜め下向きに設け、最下部に下流側先端を中段部ルーバよりも前方へ突出させた下段部ルーバを略水平に設けた構成である。
【０００８】
また、請求項２に記載の本発明では、本体ケースと、この本体ケースの底部に設けられた置台と、この本体ケース内に設けられ、燃料を燃焼させる熱源と、前記本体ケースの背面部に配置され、前記熱源に温風用の風を供給する送風機と、本体ケースの前面に設けられ、温風を吐出する吹出口とを備え、この吹出口には、中間部に複数の中段部ルーバを略水平に設けるとともに、上部に下流側先端を中段部ルーバよりも前方へ突出させた上段部ルーバを斜め下向きに設け、最下部に下流側先端を中段部ルーバよりも前方へ突出させた下段部ルーバを略水平に設け、前記上段部ルーバの下流側先端及び下段部ルーバの下流側先端のうち、少なくともどちらか一方を本体ケースよりも８ｍｍ以上突出させ、かつ、その突出量を置台の外郭以内とした構成である。
【０００９】
【発明の実施の形態】
以下、本発明の一実施形態を図１及び図２に基づいて説明する。図１及び図２において、１０は石油ファンヒータ等の温風暖房機であり、この温風暖房機１０は、本体ケース１１と、この本体ケース１１の底部に装着された置台１１Ａと、本体ケース１１内に配置され、灯油等の液体燃料を気化して燃焼させるバーナ部１２（熱源）と、このバーナ部１２を覆い、バーナ部１２の燃焼で生じた燃焼ガスを上方へ導く上部開放の燃焼筒１３と、本体ケース１１の背面部に配置され、バーナ部１２及び燃焼筒１３へ向けて温風用の風を供給する送風機１４と、前記燃焼筒１３を覆いこの燃焼筒１３からの燃焼排ガスと送風機１４からの室内空気流とを混合させて温風とするダクト１５と、本体ケース１１の前面の略中央部に設けられ、ダクト１５からの温風を吐出する吹出口１６とを備えている。
【００１０】
前記送風機１４は、プロペラファン１４Ａと、このプロペラファン１４Ａを駆動するモータ１４Ｂとから構成され、このモータ１４Ｂは本体ケース１１の背面に取り付けられたファンガード１７の内面中央に固定支持されている。１８は燃焼筒１３の上部とダクト１５の天面部１５Ａ及び前面部１５Ｂとの間に配置された遮熱板であり、この遮熱板１８と前記ダクト１５の天面部１５Ａ及び前面部１５Ｂとの間には、送風機１４からの送風の一部が流れる冷却風路Ｙが形成されている。
【００１１】
前記吹出口１６には、それの中間部に位置して２枚の中段部ルーバ１９、１９を略水平に配設するとともに、上部に位置して下流側先端を中段部ルーバ１９よりも前方へ突出させた２枚の上段部ルーバ２０、２０を斜め下向きに傾斜させて配設し、最下部に位置して下流側先端を中段部ルーバ１９よりも前方へ突出させた１枚の下段部ルーバ２１を略水平に配設している。
【００１２】
前記上段部ルーバ２０は、中段部ルーバ１９よりも前後幅（図２では左右幅）が広く形成され、かつ、吐出側となる下流側先端を中段部ルーバ１９及び本体ケース１１の前面より８mm以上（約８〜１３mm）突出させ、かつ、その突出量を置台１１Ａの外郭以内としている。
【００１３】
前記下段部ルーバ２１は、中段部ルーバ１９よりも前後幅（図２では左右幅）が広く形成され、上段部ルーバ２０と同様に、吐出側となる下流側先端を中段部ルーバ１９及び本体ケース１１の前面より８mm以上（約８〜１３mm）突出させ、かつ、その突出量を置台１１Ａの外郭以内としているが、この下段部ルーバ２１は、中段部ルーバ１９と前後幅（図２では左右幅）を略同等として、吐出側となる下流側先端を中段部ルーバ１９及び本体ケース１１の前面より８mm以上（約８〜１３mm）突出させるようにしても良い。
【００１４】
２２は前記バーナ部１２の燃焼や送風機１４等を制御する制御部であり、この制御部２２は操作部２３から入力される運転条件信号に基づいて燃料ポンプ（図示せず）や送風機１４などを予め設定されたシーケンスで制御するようになっている。
【００１５】
上述の構成において、灯油等の液体燃料が燃料ポンプ（図示せず）により送油管（図示せず）を介してバーナ部１２へ送られ、バーナ部１２が燃焼される。このバーナ部１２の燃焼で生じた燃焼ガスは、燃焼筒１３内を上方に流れて送風機１４からの室内空気流と混合され、温度の高い温風として中段部ルーバ１９と下段部ルーバ２１により吹出口１６の中間部及び下部から略水平に吐出され、室内の暖房を行う。また、送風機１４からの室内空気流の一部は、冷却風路Ｙを流れてダクト１５の天面部１５Ａと前面部１５Ｂを冷却しながら吹出口１６の上部に向かい、温度の低い温風として２枚の上段部ルーバ２０により吹出口１６の上部から斜め下向きに吐出される。そして、制御部２２は操作部２３で設定された運転条件に基づいて、燃料ポンプ（図示せず）、送風機１４などを制御して、送風量や燃焼量の可変などの運転制御を行う。
【００１６】
上述の実施形態によれば、吹出口１６には、それの中間部に位置して２枚の中段部ルーバ１９、１９を略水平に配設するとともに、上部に位置して下流側先端を中段部ルーバ１９よりも前方へ突出させた２枚の上段部ルーバ２０、２０を斜め下向きに傾斜させて配設し、最下部に位置して下流側先端を中段部ルーバ１９よりも前方へ突出させた１枚の下段部ルーバ２１を略水平に配設した構成としているから、２枚の上段部ルーバ２０、２０により斜め下向きに方向づけされた温度の低い温風で、２枚の中段部ルーバ１９と１枚の下段部ルーバ２１により水平方向に方向づけされた温度の高い温風の上昇を押え込み、床面近くを流れる温風の到達距離を伸ばし、室内の上部と床面近くとの温度差を少なくできる。
【００１７】
また、下段部ルーバ２１の下流側先端を中段部ルーバ１９よりも前方へ突出させる構成としているので、吹出口６の最下部から略水平方向に吐出する温風の流速が強められ、高温の温風が必要以上に床面に近づかないようにでき、吹出口６の前方の床温度の上昇が抑えられ、畳の変色や床材の反り等が生じないようにできる。
【００１８】
また、上段部ルーバ２０の下流側先端及び下段部ルーバ２１の下流側先端を本体ケース１１の前面よりも８mm以上突出させ、かつ、その突出量を置台１１Ａの外郭以内とした構成としているので、何らかの原因で、吹出口１６が閉塞されようとしても、置台１１Ａと上段部ルーバ２０先端及び下段部ルーバ２１先端で完全に塞がらないようにでき、安全性を高めることができる。
【００１９】
【発明の効果】
以上説明したように、請求項１に記載の本発明によれば、本体ケースと、この本体ケース内に設けられ、燃料を燃焼させる熱源と、前記本体ケースの背面部に配置され、前記熱源に温風用の風を供給する送風機と、本体ケースの前面に設けられ、温風を吐出する吹出口とを備え、この吹出口には、中間部に複数の中段部ルーバを略水平に設けるとともに、上部に下流側先端を中段部ルーバよりも前方へ突出させた上段部ルーバを斜め下向きに設け、最下部に下流側先端を中段部ルーバよりも前方へ突出させた下段部ルーバを略水平に設けた構成であるから、斜め下向きに方向づけされた温度の低い温風で、水平方向に方向づけされた温度の高い温風の上昇を押え込み、床面近くを流れる温風の到達距離を伸ばして室内の上部と床面近くとの温度差を少なくし、暖房効果を向上できるばかりでなく、下段部ルーバの下流側先端を中段部ルーバよりも前方へ突出させる構成としたことにより、吹出口の最下部から略水平方向に吐出する温風の流速を強めることができ、高温の温風が必要以上に床面に近づくことがなく、吹出口前方の畳の変色や床材の反り等の床面の熱損傷を防止できる。
【００２０】
また、請求項２に記載の本発明によれば、本体ケースと、この本体ケースの底部に設けられた置台と、本体ケース内に設けられ、燃料を燃焼させる熱源と、前記本体ケースの背面部に配置され、前記熱源に温風用の風を供給する送風機と、本体ケースの前面に設けられ、温風を吐出する吹出口とを備え、この吹出口には、中間部に複数の中段部ルーバを略水平に設けるとともに、上部に下流側先端を中段部ルーバよりも前方へ突出させた上段部ルーバを斜め下向きに設け、最下部に下流側先端を中段部ルーバよりも前方へ突出させた下段部ルーバを略水平に設け、前記上段部ルーバの下流側先端及び下段部ルーバの下流側先端のうち、少なくともどちらか一方を本体ケースよりも８ｍｍ以上突出させ、かつ、その突出量を置台の外郭以内とした構成であるから、請求項１に記載の効果に加えて、吹出口が閉塞されようとしても、置台と上段部ルーバの先端か下段部ルーバの先端のうちの少なくともどちらか一方とで完全に塞がらないようにでき、安全性を維持することができる。
【図面の簡単な説明】
【図１】本発明の一実施形態例を示す温風暖房機の概略構成の断面図である。
【図２】同じく、温風暖房機の要部断面図である。
【図３】従来の温風暖房機の概略構成の断面図である。
【図４】従来の温風暖房機の要部断面図である。
【符号の説明】
１１        本体ケース
１１Ａ      置台
１２        バーナ部（熱源）
１３        燃焼筒
１４        送風機
１５        ダクト
１６        吹出口
１８        遮熱板
１９        中段部ルーバ
２０        上段部ルーバ
２１        下段部ルーバ
Ｙ        冷却風路
【図１】
0004259690.tif 000002
【図２】
0004259690.tif 000003
【図３】
0004259690.tif 000004
【図４】
0004259690.tif 000005